(57)【要約】【課題】ボトル本体に把手部材を装着させる際、把手部材とボトル本体とをスムーズに相対的に回転させることができ、また、装着後の把手部材のがたつきを抑え、ボトル本体と把手部材とを確実に固定できる把手付きボトル容器を提供することを目的とする。【解決手段】把手部材４０は、装着孔４４に装着凸部３０を挿入してボトル本体１０に対して相対的に回転させることによりボトル本体１０に装着され、装着凸部３０の外周面には、装着凸部３０の周方向に延在する係合凹溝３３と、装着凸部３０の中心軸線Ｏを中心にした円周に沿って延在する摺動面３４と、がそれぞれ形成されており、装着孔４４の内周面には、係合凹溝３３の内側に収容され係合凹溝３３の底面に当接する当接部４５が設けられ、装着部４１には、把手部材４０とボトル本体１０との相対回転に伴い摺動面３４上を摺動し相対回転を案内する案内部４７が設けられている。【選択図】図１
2008273584.tif 000002
【特許請求の範囲】
【請求項１】
ボトル本体に凸設された装着凸部に把手部材が装着されて構成される把手付きボトル容器において、
前記把手部材は、前記装着凸部が挿入可能な装着孔が形成された装着部と、該装着部に連結された把手部と、を有し、前記装着凸部を前記装着孔に挿入して前記ボトル本体に対して前記装着凸部の中心軸線周りに相対的に回転させることにより前記ボトル本体に装着され、
前記装着凸部の外周面には、該装着凸部の周方向に延在する係合凹溝と、前記装着凸部の中心軸線を中心にした円周に沿って延在する摺動面と、がそれぞれ形成されており、
前記装着孔の内周面には、前記係合凹溝の内側に収容され前記係合凹溝の底面に当接する当接部が設けられ、
前記装着部には、前記把手部材と前記ボトル本体との相対回転に伴い前記摺動面上を摺動し前記相対回転を案内する案内部が設けられていることを特徴とする把手付きボトル容器。
【請求項２】
請求項１記載の把手付きボトル容器において、
前記当接部は、前記把手部材を前記装着凸部に装着した状態で、前記係合凹溝の底面をボトル軸方向の両側から挟むように配設されていることを特徴とする把手付きボトル容器。
【請求項３】
請求項１または２に記載の把手付きボトル容器において、
前記案内部は、前記摺動面に沿って延在する円弧面を有するものであり、前記装着凸部をその径方向で挟むように配設されていることを特徴とする把手付きボトル容器。
【請求項４】
請求項１または２に記載の把手付きボトル容器において、
前記装着凸部の基端部は、外周面が前記摺動面とされた円台座部となっており、
前記案内部は、前記円台座部が摺動可能に嵌合される嵌合穴を有するものであることを特徴とする把手付きボトル容器。
【請求項５】
請求項１から４のいずれかに記載の把手付きボトル容器において、
前記当接部には、前記装着孔の径方向の外側へ向けて凹んだ凹部が形成され、
前記係合凹溝の底面には、前記装着凸部の径方向外側へ向けて突出され、前記把手部材を前記装着凸部に装着したときに前記凹部に係合される凸部が形成されていることを特徴とする把手付きボトル容器。
【請求項６】
請求項１から５のいずれかに記載の把手付きボトル容器において、
前記当接部には、ボトル側面視において前記装着孔の内周面上で弦をなす当接面が形成されており、
前記係合凹溝の底面には、前記把手部材を前記装着凸部に装着したときに前記当接面が当接する平面状の被当接面が形成されていることを特徴とする把手付きボトル容器。
【発明の詳細な説明】
【技術分野】
【０００１】
本発明は、ボトル本体に把手部材が装着されて構成される把手付きボトル容器に関するものである。
【背景技術】
【０００２】
従来、前述の把手付ボトル容器としては、例えば特許文献１に開示されているように、円筒状をなす装着凸部が形成されたボトル本体と、前記装着凸部と係合可能な係止口が設けられた把手部材とを有するものが提案されている。この把手付ボトル容器は、前記装着凸部に径方向外側へ向けて突出する複数の係止片が設けられており、係合凸部を係止口に挿入してボトル本体と把手部材とを相対的に回転させ、係止口と係止片とを係合させてボトル本体と把手部材とを固定する構成とされている。
【特許文献１】実公平４−３３２４１号公報
【発明の開示】
【発明が解決しようとする課題】
【０００３】
しかしながら、特許文献１に記載の従来の把手付ボトル容器では、把手部材とボトル本体とを相対的に回転させる際、装着凸部径方向にがたつくという問題がある。したがって、把手部材とボトル本体とを相対的に回転させるときに、スムーズに回転しない場合があり、把手部材をボトル本体に装着させ難かった。
また、従来の把手付ボトル容器では、ボトル本体から突出する装着凸部が円筒状に形成されているので、把手部を把持して取り扱う際に把手部材が回転してボトル本体から外れてしまうおそれがあった。また、ボトル本体に把手部材を装着させた後も、把手部材が装着凸部径方向にがたつくため、使い難いという問題があった。
【０００４】
本発明は、前述した事情に鑑みてなされたものであって、ボトル本体に把手部材を装着させる際、把手部材とボトル本体とをスムーズに相対的に回転させることができ、また、装着後の把手部材のがたつきを抑え、ボトル本体と把手部材とを確実に固定できる把手付きボトル容器を提供することを目的とする。
【課題を解決するための手段】
【０００５】
本発明に係る把手付きボトル容器は、ボトル本体に凸設された装着凸部に把手部材が装着されて構成される把手付きボトル容器において、前記把手部材は、前記装着凸部が挿入可能な装着孔が形成された装着部と、該装着部に連結された把手部と、を有し、前記装着凸部を前記装着孔に挿入して前記ボトル本体に対して前記装着凸部の中心軸線周りに相対的に回転させることにより前記ボトル本体に装着され、前記装着凸部の外周面には、該装着凸部の周方向に延在する係合凹溝と、前記装着凸部の中心軸線を中心にした円周に沿って延在する摺動面と、がそれぞれ形成されており、前記装着孔の内周面には、前記係合凹溝の内側に収容され前記係合凹溝の底面に当接する当接部が設けられ、前記装着部には、前記把手部材と前記ボトル本体との相対回転に伴い前記摺動面上を摺動し前記相対回転を案内する案内部が設けられていることを特徴としている。
【０００６】
このような特徴により、把手部材をボトル本体に取り付ける際、まず、案内部によって装着部と装着凸部との位置合わせを行いつつ、装着孔に装着凸部を挿入させる。次に、把手部材とボトル本体とを相対的に回転させる。このとき、装着凸部の摺動面上を案内部が摺動し、ボトル本体と把手部材との相対回転がガイドされるため、装着凸部径方向へのがたつきが抑えられる。また、上記相対回転に伴い、当接部が係合凹溝の内側に収容され、所定の位置で当接部が係合凹溝の底面に当接する。これにより、把手部材がボトル本体に装着された状態において、装着凸部径方向のがたつきが抑えられるとともに、把手部材とボトル本体との相対回転が防止される。また、把手部材にボトル径方向外方に向けた外力（装着孔から装着凸部を引き抜く力）が作用しても、当接部が抜け止めとなって係合凹溝の内面に引っ掛かるため、把手部材がボトル本体から外れない。
【０００７】
また、本発明に係る把手付きボトル容器は、前記当接部は、前記把手部材を前記装着凸部に装着した状態で、前記係合凹溝の底面をボトル軸方向の両側から挟むように配設されていることが好ましい。
【０００８】
これにより、係合凹溝の底面が当接部によりボトル軸方向の両側から挟持されるので、把手部材を把持して持ち上げたとき、当接部によりボトル本体が確実に支持される。
【０００９】
また、本発明に係る把手付きボトル容器は、前記案内部が、前記摺動面に沿って延在する円弧面を有するものであり、前記装着凸部をその径方向で挟むように配設されていることが好ましい。
【００１０】
これにより、ボトル本体と把手部材との相対回転が、案内部によって確実にガイドされる。また、把手部材を装着凸部に装着した状態で、案内部が装着凸部をその径方向に挟むように配置されるので、装着後の把手部材のがたつきがより一層抑えられる。
【００１１】
また、本発明に係る把手付きボトル容器は、前記装着凸部の基端部が、外周面が前記摺動面とされた円台座部となっており、前記案内部が、前記円台座部が摺動可能に嵌合される嵌合穴を有するものであってもよい。
【００１２】
これにより、ボトル本体と把手部材とを相対的に回転させる際、全周に亘ってガイドされるので、より確実に相対回転がガイドされる。また、案内部が円台座部を囲うように配置されるので、装着後の把手部材のがたつきがより一層抑えられる。
【００１３】
また、本発明に係る把手付きボトル容器は、前記当接部には、前記装着孔の径方向の外側へ向けて凹んだ凹部が形成され、前記係合凹溝の底面には、前記装着凸部の径方向外側へ向けて突出され、前記把手部材を前記装着凸部に装着したときに前記凹部に係合される凸部が形成されていることが好ましい。
【００１４】
これにより、凸部と凹部とが係合する位置まで、ボトル本体と把手部材とが相対回転すると、その相対回転が規制される。つまり、凸部と凹部とにより相対回転の終端位置が決定される。また、把手部材がボトル本体に装着されたときに、凸部と凹部とが係合されるので、把手部材を装着させた後における把手部材とボトル本体との相対回転が、より確実に防止される。
【００１５】
また、本発明に係る把手付きボトル容器は、前記当接部に、ボトル側面視において前記装着孔の内周面上で弦をなす当接面が形成され、前記係合凹溝の底面に、前記把手部材を前記装着凸部に装着したときに前記当接面が当接する平面状の被当接面が形成された構成であってもよい。
【００１６】
これにより、当接部と係合凹溝の底面との接触面積が大きくなるため、装着後の把手部材のがたつきがより一層抑えられる。
【発明の効果】
【００１７】
本発明に係る把手付きボトル容器によれば、ボトル本体と把手部材とを相対回転させる際のがたつきが抑えられるため、ボトル本体に把手部材を装着させる際に、把手部材とボトル本体とをスムーズに相対回転させることができ、装着し易くなる。また、装着後の把手部材とボトル本体との相対回転を防止することができるとともに、装着後の装着凸部径方向のがたつきを抑えることができ、ボトル本体と把手部材とを確実に固定することができる。
【発明を実施するための最良の形態】
【００１８】
以下、本発明に係る把手付きボトル容器の実施の形態について、図面に基いて説明する。
【００１９】
以下に、本発明の実施形態について添付した図面を参照して説明する。
【００２０】
［第１の実施の形態］
まず、本発明の第１の実施の形態を図１から図３を参照して説明する。
図１は把手取付面側から見た把手付ボトル容器１の側面図であり、図２は把手取付面に直交する方向から見た把手付ボトル容器１の側面図であり、図３は後述する装着凸部３０を装着孔４４に挿入した状態を表した把手付ボトル容器１の側面図である。
なお、図１から図３に示すボトル軸Ｌは把手付ボトル容器１の中心軸線を示しており、また、ボトル軸Ｌ方向の口部１４側（図１から図３における上側）を上方とし、ボトル軸Ｌ方向の底部１２側（図１から図３における下側）を下方とし、また、後述する垂直壁２１に沿った方向においてボトル軸Ｌに直交する方向（図１における横方向）を左右方向とする。
【００２１】
図１、図２に示すように、本実施形態である把手付ボトル容器１は、ボトル本体１０と、このボトル本体１０に装着される把手部材４０とを有している。
【００２２】
ボトル本体１０は、ボトル軸Ｌに沿って延びる胴部１１と、この胴部１１の下端部に連設される底部１２と、前記胴部１１の上端部に連設されて上側に向かうにしたがい漸次縮径された肩部１３と、この肩部１３の上端部に連設されて上方に向けて延在した口部１４とを備えている。これら、胴部１１、底部１２、肩部１３及び口部１４は、例えばポリエチレンテレフタレート（ＰＥＴ）等の合成樹脂によりボトル軸Ｌを共通軸として一体に形成されている。なお、胴部１１は、把手部材４０が装着される上側胴部１１ａと概略矩形状に形成された下側胴部１１ｂとから構成されている。
【００２３】
胴部１１における下側胴部１１ｂは、ボトル軸Ｌを挟んで互いに対向する一対の短辺側壁面１１Ａ、１１Ａ及び一対の長辺側壁面１１Ｂ、１１Ｂを備えている。このうち一対の短辺側壁面１１Ａ、１１Ａには、それぞれこの胴部１１の周方向に延びる凹溝１５がボトル軸Ｌ方向に間隔をあけて複数（本実施形態では、図１に示すように４つ）形成されている。
また、一対の長辺側壁面１１Ｂ、１１Ｂには、短辺側壁面１１Ａと同様に周方向に延びる凹溝１６が複数（本実施形態では、図２に示すように４つ）形成されるとともに、これらの凹溝１６に重なるようにして減圧吸収パネル１７がそれぞれ設けられており、これら減圧吸収パネル１７の内側に、胴部１１の周方向に延びる凹溝１８がボトル軸Ｌ方向に間隔をあけて複数（本実施形態では、図２に示すように３つ）形成されている。
【００２４】
ここで、胴部１１において、一方側（図２において右側）の下側胴部１１ｂの短辺側壁面１１Ａの上部から肩部１３にわたる上側胴部１１ａには、ボトル本体１０の内側に向けて凹んだ凹部２０が設けられている。この凹部２０は、ボトル軸Ｌと平行に延びる垂直壁２１を有しており、この垂直壁２１の上端には肩部１３に連なる段状部２２が形成されるとともに、下端には下側胴部１１ｂに連なる傾斜面部２３が形成されている。
この凹部２０には、垂直壁２１から一方側に向けて突出するように装着凸部３０が凸設されている。
【００２５】
装着凸部３０は、図１に示すように、その突出方向に対向する側から見て、円の上下方向中央部が径方向内側に向けて凹んだ形状をなしている。詳述すると、装着凸部３０の上下部分は、それぞれ上下方向に向けて円弧状に凸となる凸曲部３１とされ、装着凸部３０の左右両側の側面部分は、それぞれ径方向内側に向けて円弧状に凹んだ凹曲部３２とされている。
なお、凸曲部３１がなす凸曲線は、後述する把手部材４０の装着孔部４４の内径と略同一径の円弧とされている。
【００２６】
この装着凸部３０の基端部の外周面には、装着凸部３０の径方向の内方に向う深さが一定の係合凹溝３３が全周に亘って形成されている。この係合凹溝３３の底面には、装着凸部３０の径方向外側へ向けて突出された凸部３５が形成されている。この凸部３５は、係合凹溝３３の底面のうち、装着凸部３０の上下端部の位置にそれぞれ設けられている。つまり、上下の凸曲部３１の中央位置における係合凹溝３３の底面に、凸部３５がそれぞれ配設されている。また、凸部３５は、把手部材４０を装着凸部３０に装着したときに後述する凹部４６に係合されるものであり、略半円形状の突起である。
【００２７】
また、装着凸部３０の上下部分の外周面には、装着凸部３０の中心軸線Ｏを中心にした仮想円周に沿って延在する円弧状の摺動面３４がそれぞれ形成されている。つまり、装着凸部３０の突出方向に対向する側から見て円弧状に湾曲した上記凸曲部３１の外周面が、上記した摺動面３４である。
【００２８】
そして、装着凸部３０の下方に位置する傾斜面部２３には、ボトル本体１０の内方に向けて凹むとともに、短辺側壁面１１Ａに対向する側から見てボトル軸Ｌ方向に延びる係止凹部２４が形成されている。なお、この係止凹部２４は、後述する把手部４２の一部を収容可能な幅および深さとされている。
【００２９】
次に、把手部材４０について説明する。
把手部材４０は、概略円環状をなす装着部４１と、この装着部４１に連結された把手部４２とを備えており、これら装着部４１と把手部４２とが一体成形されている。詳述すると、把手部４２は、把手部材４０をボトル本体１０に装着した状態で、装着部４１の上下端からそれぞれ延設されるとともに、上端から延設された部分と下端から延設された部分が、装着凸部３０の先端面３０ａからボトル径方向外側に離間した位置でボトル軸Ｌ方向に延びるようにして接続されている。これにより、把手部材４０は、側面視して図２に示すように環状をなしている。なお、この装着部４１と把手部４２との上端接続部分には、前記凹部２０の上端に設けられた段状部２２の外面形状に沿った形状の段部４３が形成されている。
【００３０】
装着部４１には、断面概略円形をなす装着孔４４が形成されている。この装着孔４４は、上記した装着凸部３０が挿入される円形の孔であり、装着孔部４４の内径は、装着凸部３０の長手方向（上下方向）の径と略同一となっている。なお、装着部４１のボトル径方向内側の面は、垂直壁２１に当接されている。
【００３１】
この装着孔４４の内周面には、把手部材４０を装着凸部３０に装着した状態で、この装着凸部３０をボトル軸Ｌ方向の両側から挟むように配置された一対の当接部４５，４５が設けられている。すなわち、当接部４５，４５は、装着孔４４の上下部分（前記把手部４２が連結された部分）の内周面にそれぞれ設けられている。この当接部４５，４５は、装着凸部３０の突出方向に対向する側から見て、装着孔４４の内周面上で弦を成す平面部４８の中央に、装着孔４４の径方向外側へ向けて凹んだ凹部４６が形成された構成からなるものである。この凹部４６は、把手部材４０を装着凸部３０に装着したときに上記凸部３５が係合されるものであり、円弧状に湾曲した形状となっている。なお、凹部４６及び凸部３５の形状は、台形などの多角形であってもよい。
また、図示の例では、各当接部４５，４５は、上記係合凹溝３３の底面に圧接しており、これらの当接部４５，４５および上記係合凹溝３３の底面のうちの少なくとも一方が、他方から離れる方向に弾性変形している。なお、当接部４５，４５と係合凹溝３３の底面とは、前述のように弾性変形させずに、単に接触させるようにしてもよい。
さらに、容器口部側（上側）の当接部４５が、前記係合凹溝３３の底面と上記段状部２２とによって挟持されていてもよい。
【００３２】
また、装着部４１のボトル径方向外側の面（垂直壁２１に当接する面の反対側の面）には、把手部材４０とボトル本体１０との相対回転に伴い摺動面３４上を摺動し前記相対回転を案内する案内部４７が突設されている。この案内部４７は、装着凸部３０の中心軸線Ｏを中心にした仮想円周に沿って延設されている。つまり、案内部４７は、円弧状に湾曲した弓形状の壁部であり、案内部４７の内周面（装着孔４４の内方側を向いた側面）は、前記摺動面３４に沿って延在する円弧面４７ａとなっている。また、案内部４７は、把手部材４０を装着凸部３０に装着した状態で、装着凸部３０を上下方向の両側から挟むように配設されている。つまり、案内部４７は、上記した当接部４５，４５と同様に装着部４１の上下部分（前記把手部４２が連結された部分）に配設されており、その円弧面４７ａは、装着凸部３０の凸曲部３１に形成された摺動面３４に摺接されている。
【００３３】
このような把手部材４０が、以下のようにしてボトル本体１０に装着されることにより、本実施形態である把手付ボトル容器１が構成される。
まず、図３に示すように、装着孔４４に装着凸部３０を挿入してボトル本体１０に把手部材４０を配置する。このとき、ボトル本体１０のボトル軸Ｌに対して９０°の方向に把手部４２が延在するように、把手部材４０を配置する。すなわち、一対の当接部４５，４５および一対の案内部４７，４７が左右にそれぞれ配置されて、一対の当接部４５，４５の各先端面が上記凹曲部３２における係合凹溝３３の底面に各々対向するとともに、一対の案内部４７，４７の各円弧面４７ａ，４７ａが上記凹曲部３２の外周面に各々対向するように、把手部材４０を配置する。ここで、案内部４７は、上側の凸曲部３１から下側の凸曲部３１にかけて延在され、その両端が、装着凸部３０の上下の摺動面３４，３４にそれぞれ摺接された状態となる。また、当接部４５は、装着凸部３０の突出方向に対向する側から見て、案内部４７の円弧面４７ａと凹曲部３２の外周面との間に形成された隙間の内側に配置される。なお、装着凸部３０を装着孔４４に挿入させる際、一対の案内部４７，４７によって位置合わせが行われ、装着孔４４と装着凸部３０との中心位置が合わせられる。
【００３４】
このように装着孔４４に装着凸部３０を挿入した後に、把手部材４０とボトル本体１０とを装着凸部３０の中心軸線Ｏ周りに相対的に回転させる。このとき、装着凸部３０の摺動面３４上を案内部４７の円弧面４７ａが摺動する。そして、上記相対回転に伴い、各当接部４５，４５が係合凹溝３３の内側にそれぞれ収容される。そして、ボトル本体１０と把手部材４０とが相対的に９０°回転したところで、各当接部４５，４５が係合凹溝３３の底面にそれぞれ当接するとともに、凸部３５が凹部４６に係合され、ボトル本体１０と把手部材４０との相対回転が規制される。
以上により、ボトル本体１０に把手部材４０が装着される。
そして、把手部４２のうち装着部４１の下端から延設されている部分が、凹部２０の傾斜面部２３に形成された係止凹部２４に収容される。
【００３５】
このようにして、本実施形態である把手付ボトル容器１が構成される。なお、把手部材４０が装着された状態においては、図２に示すように、把手部材４０は胴部１１の下側胴部１１ｂの外周部分よりも内側に位置するように構成されている。
【００３６】
上記した構成からなる把手付ボトル容器１によれば、ボトル本体１０と把手部材４０とを相対回転させるとき、装着凸部３０の摺動面３４上を案内部４７が摺動するため、ボトル本体１０と把手部材４０との相対回転がガイドされ、装着凸部３０径方向へのがたつきが抑えられる。これにより、ボトル本体１０と把手部材４０との相対回転はきれいな円運動となるため、ボトル本体１０に把手部材４０を装着させる際に、ボトル本体１０と把手部材４０とをスムーズに相対回転させることができる。したがって、ボトル本体１０に把手部材４０を装着し易くなる。
【００３７】
また、上記したボトル本体１０と把手部材４０との相対回転に伴い、各当接部４５，４５が係合凹溝３３の内側に収容されるので、把手部材４０にボトル径方向外方に向けた外力（装着孔４４から装着凸部３０を引き抜く力）が作用しても、当接部４５が抜け止めとなって係合凹溝３３の内面に引っ掛かる。このため、把手部材４０がボトル本体１０から外れない。
【００３８】
また、ボトル本体１０と把手部材４０とが相対的に９０°回転したところで、各当接部４５，４５が係合凹溝３３の底面にそれぞれ当接するため、装着後のボトル本体１０と把手部材４０との相対回転を防止することができる。また、把手部材４０の装着後における装着凸部３０径方向のがたつきを抑えることができる。これにより、ボトル本体１０と把手部材４０とを確実に固定することができる。
【００３９】
また、上記した構成からなる把手付ボトル容器１によれば、当接部４５，４５は、把手部材４０を装着凸部３０に装着した状態で、係合凹溝３３の底面を上下方向の両側から挟むように配設されるため、把手部材４０を把持して持ち上げたとき、当接部４５，４５によりボトル本体１０が確実に支持される。これにより、把手部材４０を持って取り扱う際に、ボトル本体１０から把手部材４０が外れることをより確実に防止することができる。
【００４０】
また、上記した構成からなる把手付ボトル容器１によれば、案内部４７に、摺動面３４に沿って延在する円弧面４７ａが形成されており、ボトル本体１０と把手部材４０とを相対回転させる際、案内部４７の円弧面４７ａが摺動面３４上を摺動するため、ボトル本体１０と把手部材４０との相対回転がより確実にガイドされる。これにより、上記した相対回転時における装着凸部３０径方向へのがたつきがより確実に抑えることができる。また、上記案内部４７は、装着凸部３０をその径方向で挟むように一対配設されているため、案内部４７が装着凸部３０を両側から挟持したような状態となり、装着後の把手部材４０のがたつきをより一層抑えることができる。
【００４１】
また、上記した構成からなる把手付ボトル容器１によれば、装着凸部３０の上下端部の係合凹溝３３の底面に凸部３５が形成され、当接部４５，４５の中央に凹部４６が形成されているため、ボトル本体１０と把手部材４０とが相対的に９０°回転したところで、凸部３５が凹部４６に係合され、ボトル本体１０と把手部材４０との相対回転が規制される。つまり、凸部３５と凹部４６とによって、上記相対回転の終端位置が決定される。これにより、ボトル本体１０に把手部材４０をさらに装着し易くなる。また、把手部材４０がボトル本体１０に装着されたときに、凸部３５と凹部４６とが係合されているので、把手部材４０を装着させた後における把手部材４０とボトル本体１０との相対回転が、より確実に防止され、ボトル本体１０と把手部材４０とをより確実に固定することができる。
【００４２】
［第２の実施の形態］
次に、本発明の第２の実施形態について図４から図６を参照にして説明する。
図４は把手取付面側から見た把手付ボトル容器１の側面図であり、図５は把手取付面に直交する方向から見た把手付ボトル容器１の側面図であり、図６は後述する装着凸部１３０を装着孔１４４に挿入した状態を表した把手付ボトル容器１の側面図である。
なお、第１の実施形態と同一の構成要素には同一の符号を付して詳細な説明を省略する。
第２の実施形態においては、装着凸部１３０および装着部１４１の構成が第１の実施形態と異なっている。
【００４３】
本実施の形態における装着凸部１３０は、基端側に円台座部１３６が設けられ、この円台座部１３６の先端面に装着凸部本体１３７が凸設された構成からなる。円台座部１３６は、装着凸部１３０の中心軸線Ｏを中心にした円形状の台座である。円台座部１３６の外周面は、後述する案内部１４７の嵌合孔１４７ａの内周面が摺接する摺動面１３４となっており、装着凸部１３０の中心軸線Ｏを中心にした仮想円周に沿って延在されている。装着凸部本体１３７は、上述した第１の実施の形態における装着凸部３０と同様の外形のものであり、装着凸部１３０の突出方向に対向する側から見て、円の上下方向中央部が径方向内側に向けて凹んだ形状をなしている。また、装着凸部本体１３７の基端部には、係合凹溝１３３が全周に亘って形成されている。
【００４４】
係合凹溝１３３の底面には、平面状の被当接面１４６が形成されている。この被当接面１４６は、把手部材４０を装着凸部１３０に装着したときに、後述する当接面１４９が当接する面であり、装着凸部１３０の上下部分（凸曲部３１）の位置にそれぞれ形成されている。詳説すると、被当接面１４６は、円弧状の摺動面１３４に対して弦を成す平面、つまり、垂直壁２１に沿ったボトル軸Ｌの直交方向に延在する平面である。
【００４５】
一方、把手部材４０の装着部１４１には、上述した第１の実施の形態における装着部４１と同様に、断面概略円形をなす装着孔１４４が形成されており、この装着孔１４４の内周面には、把手部材４０を装着凸部１３０に装着した状態で、この装着凸部１３０をボトル軸Ｌ方向の両側から挟むように配置された一対の当接部１４５，１４５が設けられている。この当接部１４５には、平面状の当接面１４９が形成されている。この当接面１４９は、把手部材４０を装着凸部１３０に装着したときに、上記被当接面１４６が当接する面であり、当接部１４５の装着孔１４４内方側の先端面に形成されている。また、この当接面１４９は、装着凸部１３０の突出方向に対向する側（ボトル側面側）から見て、装着孔１４４の内周面上で弦をなす平面である。
【００４６】
また、装着部１４１のボトル径方向内側の面（垂直壁２１に当接する側の面）には、把手部材４０とボトル本体１０との相対回転に伴い摺動面１３４上を摺動し前記相対回転を案内する案内部１４７が突設されている。この案内部１４７は、装着孔１４４と同軸に形成された円環状の壁部であり、装着凸部１３０の中心軸線Ｏを中心にした仮想円周に沿って延設されている。すなわち、案内部１４７には、装着孔１４４に連通され上記円台座部１３６が摺動可能に嵌合された嵌合孔１４７ａが形成されており、この嵌合孔１４７ａの内周面は、上記摺動面１３４（円台座部１３６の外周面）に摺接されている。
【００４７】
このような把手部材４０が、以下のようにしてボトル本体１０に装着されることにより、本実施形態である把手付ボトル容器１が構成される。
まず、図６に示すように、上述した第１の実施の形態と同様にして、装着孔１４４に装着凸部１３０を挿入してボトル本体１０に把手部材４０を配置する。
次に、把手部材４０とボトル本体１０とを装着凸部１３０の中心軸線Ｏ周りに相対的に回転させる。このとき、案内部１４７の嵌合孔１４７ａの内周面が装着凸部１３０の摺動面１３４上を摺動する。そして、上記相対回転に伴い、各当接部１４５，１４５が係合凹溝１３３の内側にそれぞれ収容される。そして、ボトル本体１０と把手部材４０とが相対的に９０°回転したところで、各当接部１４５，１４５の各当接面１４９，１４９が、係合凹溝１３３の底面に形成された被当接面１４６に当接され、ボトル本体１０と把手部材４０との相対回転が規制される。
以上により、ボトル本体１０に把手部材４０が装着される。
【００４８】
上記した構成からなる把手付ボトル容器１によれば、装着凸部１３０の基端部が、外周面が摺動面１３４とされた円台座部１３６となっており、この円台座部１３６が、円環状の案内部１４７の嵌合穴１４７ａ内に摺動可能に嵌合されているため、ボトル本体１０と把手部材４０とを相対的に回転させる際、全周に亘ってガイドされるので、より確実に相対回転がガイドされる。これにより、ボトル本体１０に把手部材４０を装着させる際に、ボトル本体１０と把手部材４０とをよりスムーズに相対回転させることができ、ボトル本体１０に把手部材４０をさらに装着し易くなる。
【００４９】
また、案内部１４７が円台座部１３６を囲うように設けられているので、装着後の把手部材４０のがたつきがより一層抑えられる。これにより、ボトル本体１０と把手部材４０とをより確実に固定することができる。
【００５０】
また、当接部１４５に、装着孔１４４の内周面上で弦をなす当接面１４９が形成され、係合凹溝１３３の底面に、把手部材４０を装着凸部１３０に装着したときに上記当接面１４９が当接する平面状の被当接面１４６が形成された構成であるため、当接部１４５と係合凹溝１３３の底面との接触面積が大きくなり、装着後の把手部材４０のがたつきがより一層抑えられる。これにより、ボトル本体１０と把手部材４０とをより確実に固定することができる。
【００５１】
以上、本発明に係る把手付きボトル容器の実施の形態について説明したが、本発明は上記した実施の形態に限定されるものではなく、その趣旨を逸脱しない範囲で適宜変更可能である。
例えば、上記した第１の実施の形態では、一対の当接部４５，４５は、把手部材４０を装着凸部３０に装着した状態で、係合凹溝３３の底面を上下方向（ボトル軸Ｌ方向）の両側から挟むように配設されているが、本発明は、図７から図９に示すように、一対の当接部４５，４５を、把手部材４０を装着凸部３０に装着した状態で、係合凹溝３３の底面を左右方向の両側から挟むように配設することも可能である。詳説すると、ボトル本体１０側については、左右方向に長い小判形状の装着凸部３０’が凸設されている。装着凸部３０’は、装着凸部３０’の左右両側の側面部分が、それぞれ上下方向に向けて円弧状に凸となる凸曲部３１’とされ、装着凸部３０’の上下部分が、装着凸部３０’の突出方向に対向する側から見て、装着凸部３０’の外周面上で弦を成す平面部３２’とされている。また、凸部３５は、係合凹溝３３の底面のうち、装着凸部３０の左右両側の側面部分の位置にそれぞれ設けられている。また、装着凸部３０の左右両側の側面部分の外周面に円弧状の摺動面３４がそれぞれ形成されている。一方、把手部材４０については、当接部４５及び案内部４７が、装着凸部３０を左右方向の両側から挟むようにそれぞれ配置されている。
なお、上記した第２の実施の形態において、一対の当接部１４５，１４５を、把手部材４０を装着凸部３０に装着した状態で、係合凹溝１３３の底面を左右方向の両側から挟むように配設することも可能である。
【００５２】
また、上記した第１、第２の実施の形態では、装着孔４４、１４４の内周面に、当接部４５、１４５が上下一対設けられているが、本発明は、当接部の位置や数を変更することも可能である。例えば、装着孔４４、１４４の内周面の上下部にそれぞれ複数の当接部が設けられた構成であってもよい。
また、上記した第１の実施の形態では、案内部４７が上下一対設けられているが、本発明は、案内部の位置や数を変更することも可能である。例えば、装着部４１の上下部にそれぞれ複数の案内部が設けられた構成であってもよいし、全周に亘る円環状の案内部が設けられた構成としてもよい。
【００５３】
また、胴部が概略矩形筒状をなすボトル本体を有するものとして説明したが、これに限定されることはなく、胴部が円筒状をなしていてもよい。
さらに、把手部材は、本実施形態のように一体成形されたものであってもよいし、一体成形されたヒンジ部を備えた部材を２つ折りにして貼り合わせるようにして成形されたものであってもよい。
【００５４】
さらに、把手部材の形状や構成は、本実施形態に限定されることはなく、適宜設定することができる。但し、ボトル本体に凸設された装着凸部を挿入可能、かつ、ボトル本体と把手部材とを相対的に回転させることで、把手部材がボトル本体に装着されるように構成されている必要がある。
【００５５】
さらに、係合凹溝３３は、装着凸部３０の外周面における全周に形成しなくてもよい。
また、ボトル本体の任意の位置に凹部又は凸部からなる被係止部を設け、前記被係止部に嵌合する係止部を把手部材におけるボトル本体との対向面に凸設又は凹設してもよい。
尚、第１の実施の形態において、係止凹部２４を段状部２２に形成し、把手部４２の装着部４１上端より延設されている部分を係止凹部２４に収容するように構成してもよい。
その他、本発明の主旨を逸脱しない範囲で、上記した実施の形態における構成要素を周知の構成要素に置き換えることは適宜可能であり、また、上記した第１、第２の実施の形態及び／又は変形例を適宜組み合わせてもよい。例えば、第２の実施の形態において、当接部１４５の当接面１４９に第１の実施の形態の凹部４６を形成するとともに、係合凹溝１３３の底面の被当接面１４６に第１の実施の形態の凸部３５を凸設することも可能である。
【図面の簡単な説明】
【００５６】
【図１】本発明の第１の実施の形態である把手付ボトル容器の側面図である。
【図２】図１に示す把手付ボトル容器を構成するボトル本体の側面図である。
【図３】図２に示すボトル本体の装着凸部を正面からみた正面図である。
【図４】本発明の第２の実施の形態である把手付ボトル容器の側面図である。
【図５】図４に示す把手付ボトル容器を構成するボトル本体の側面図である。
【図６】図５に示すボトル本体の装着凸部を正面からみた正面図である。
【図７】本発明の他の実施の形態である把手付ボトル容器の側面図である。
【図８】図７に示す把手付ボトル容器を構成するボトル本体の側面図である。
【図９】図８に示すボトル本体の装着凸部を正面からみた正面図である。
【符号の説明】
【００５７】
１  把手付ボトル容器
１０  ボトル本体
３０、１３０  装着凸部
３３、１３３  係合凹溝
３４  摺動面
４０  把手部材
４１、１４１  装着部
４２  把手部
４４、１４４  装着孔
４５、１４５  当接部
４７、１４７  案内部
【図１】
2008273584.tif 000003
【図２】
2008273584.tif 000004
【図３】
2008273584.tif 000005
【図４】
2008273584.tif 000006
【図５】
2008273584.tif 000007
【図６】
2008273584.tif 000008
【図７】
2008273584.tif 000009
【図８】
2008273584.tif 000010
【図９】
2008273584.tif 000011